(57)【要約】【課題】バックアップが途中で中止された場合において、その後携帯端末のデータが消失してしまった場合の被害を抑える。【解決手段】充電機能付きバックアップ装置は、携帯端末の記憶部にアクセスしてデータの送受信を行うデータ送受信部と、携帯端末のデータの種別毎に予め定められた優先順位に従って、前記データ送受信部を制御し、前記カード媒体への書き込みを行うデータ書き込み部と、を備え、バックアップすべきデータに優先順位を付けて順番にバックアップを行う。【選択図】図２
2008245044.tif 000002
【特許請求の範囲】
【請求項１】
携帯端末のメモリに保持されたデータをバックアップするバックアップ装置であって、
携帯端末の記憶部にアクセスしてデータの送受信を行うデータ送受信部と、
携帯端末のデータの種別毎に予め定められた優先順位に従って、前記データ送受信部を制御し、所定のバックアップ媒体への書き込みを行うデータ書き込み部と、を備えたこと、
を特徴とする携帯端末のデータバックアップ装置。
【請求項２】
前記データ書き込み部は、前記所定のバックアップ媒体の容量が不足する場合であっても、前記所定のバックアップ媒体の空き容量の範囲で前記優先順位に従ってデータの書き込みを行うこと、
を特徴とする請求項１に記載の携帯端末のデータバックアップ装置。
【請求項３】
更に、携帯端末の充電器と接続され、該携帯端末の内蔵電池への充電開始をトリガとしてバックアップを開始すること、
を特徴とする請求項１又は２に記載の携帯端末のデータバックアップ装置。
【請求項４】
前記携帯端末の充電器が、電池式の充電器であること、
を特徴とする請求項１乃至３いずれか一に記載の携帯端末のデータバックアップ装置。
【請求項５】
前記データ送受信部は、無線通信により携帯端末からデータを受信すること、
を特徴とする請求項１乃至４いずれか一に記載の携帯端末のデータバックアップ装置。
【発明の詳細な説明】
【技術分野】
【０００１】
本発明は、携帯端末のデータバックアップ装置に関する。
【背景技術】
【０００２】
携帯電話機やＰＤＡ（Ｐｅｒｓｏｎａｌ  Ｄｉｇｉｔａｌ  Ａｓｓｉｓｔａｎｔ）等の携帯端末が多機能化していく中で、電話番号（電話帳）をはじめとして、送受信されたデータ、音声（録音）、画像（静止画、動画）、スケジュール、アプリケーション等の格納される情報も多種多様かつ膨大なものとなってきている。
【０００３】
携帯端末の紛失、盗難、故障等に備えて、上記したデータをバックアップすることが重要となってくるが、例えば、特許文献１や特許文献２には、充電器と一体化され又は充電器と連携動作するバックアップ装置が提案されている。
【０００４】
この種のバックアップ装置によれば、携帯端末に必須とも言える充電時に併せて、データのバックアップができるという利点がある。また、特許文献１、２のバックアップ装置では、バックアップ先として取り外し可能なカード媒体を使用することにより、携帯端末のメモリ容量の増大にも対応できるようになっている。
【０００５】
【特許文献１】特開２００５−２６０４６１号公報
【特許文献２】特開２００６−３５２５１９号公報
【発明の開示】
【発明が解決しようとする課題】
【０００６】
上記携帯端末が保持するデータの中には、電話帳、送受信メール、スケジュールのようにユーザにより比較的高い頻度で更新が行われるものと、カメラ画像、オーディオデータ、着信メロディ、アプリケーションのようにデータ自体の更新は原則として行われないが追加・削除が行われるものがある。これらデータは、それぞれ失われたときに回復可能であるか否か等により決定される重要性やデータのサイズ（バックアップに要する時間）が異なっているが、バックアップ中に通話着信やメール着信が発生する等して、携帯端末が持ち出された場合に、バックアップが完全に終わらないことが考えられる。
【０００７】
このような場合において、その後バックアップを中止した携帯端末が紛失や盗難に遭ってしまった場合、バックアップ直前に登録した電話番号や受信した電子メールデータは失われてしまうことになる。また、同様に、カメラやオーディオ機能を利用した場合も、バックアップの直前に撮影したり、ダウンロードしたデータも失われてしまう。また、上記紛失、盗難、故障以外にも、誤操作により大切なデータが失われてしまう場合もある。
【０００８】
この点、例えば、特許文献１のバックアップ装置も、フルバックアップを前提とするため、バックアップ中は充電器からの取り外しを禁止する機構を備えない場合には、バックアップは中止されることになる。
【０００９】
また、特許文献２のバックアップ装置では、ファイル名やタイムスタンプを用いて、バックアップの必要性を判断する機能が備えられているが、上記充電器からの取り外された場合の動作については記載されていない。
【００１０】
本発明は、上記した事情に鑑みてなされたものであって、その目的とするところは、バックアップすべきデータに優先順位を付けて順番にバックアップを行う携帯端末のデータバックアップ装置を提供することにある。
【課題を解決するための手段】
【００１１】
本発明の第１の視点によれば、携帯端末のメモリに保持されたデータをバックアップするバックアップ装置であって、携帯端末の記憶部にアクセスしてデータの送受信を行うデータ送受信部と、携帯端末のデータの種別毎に予め定められた優先順位に従って、前記データ送受信部を制御し、所定のバックアップ媒体への書き込みを行うデータ書き込み部と、を備えたこと、を特徴とする携帯端末のデータバックアップ装置が提供される。
【発明の効果】
【００１２】
本発明によれば、重要なデータを優先してバックアップすることが可能となり、特に、バックアップが完全に終了しなかった場合において、その後携帯端末のデータが消失してしまった場合の被害を抑えることが可能となる。
【発明を実施するための最良の形態】
【００１３】
続いて、本発明を実施するための最良の形態について図面を参照して詳細に説明する。図１は、本発明の一実施形態に係る充電機能付きバックアップ装置の構成を表したブロック図である。
【００１４】
図１を参照すると、携帯電話端末１００と、携帯電話端末１００のデータ端子１１０及び充電端子１１１に適合するデータ端子２０１及び充電端子２０２を備えた充電機能付きバックアップ装置２００と、が示されている。
【００１５】
携帯電話端末１００は、無線により無線基地局装置（図示せず）とアンテナ１０２を介して情報の送受を行う無線通信部１０１と、マイク／レシーバ１０４から入力された音声データをアナログからデジタルに変換し、或いは、マイク／レシーバ１０４へ出力するため音声データをデジタルからアナログに変換する音声処理部１０３と、キーやポインティングデバイス等を含んで構成されユーザからの操作を受け付ける操作部１０５と、液晶表示装置等により構成される表示部１０６と、音声、音楽等の楽音情報を出力するスピーカ１０７と、端末に内蔵された充電電池１０９の充電や容量検出等の制御を行う電源制御部１０８と、静止画や動画像を撮像するカメラ部１１２と、電気的に書き換え可能な不揮発メモリを含んで構成され、電話帳情報（電話番号、メールアドレス）、送受信メールデータ、アプリケーション、画像、辞書及び携帯電話端末の各種設定情報等を記憶する記憶部１１３と、データ端子１１０を介するデータ転送、通信機能（電話、メール、インターネット接続）、カメラ機能、携帯電話端末の各種機能やアプリケーション動作を制御する制御部１１４と、を備えている。
【００１６】
データ端子１１０（２０１）は、外部機器との間でデータの送受（入出力）を行うための端子であり、充電端子１１１（２０２）は、外部充電器からの電力供給端子である。
【００１７】
充電機能付きバックアップ装置２００は、充電端子２０２の接続状態を監視し、電源処理部２０４の動作制御やメモリーカード３００への書き込みを制御するデータ送受信部及びデータ書き込み部として機能する制御部２０３と、電源２１０から入力された交流電力を直流電力に変換する電源処理部２０４と、携帯電話端末１００から送信されるデータの格納先として使用するメモリーカード３００を着脱自在に挿着するためのカードスロット（カード装着部）２０５と、液晶表示装置等により構成される表示部２０６と、操作部２０８を介して操作し、充電機能付きバックアップ装置２００単体で音声、音楽等の楽音情報を楽しむためのスピーカ２０７と、パーソナルコンピュータ等と接続するための外部接続端子２０９と、を含んで構成されている。
【００１８】
メモリーカード３００は、電気的に書き換え可能な不揮発性の記憶媒体を内蔵し、ＭｉｎｉＳＤメモリーカードやメモリースティック（登録商標）等の任意の規格に従って構成される。
【００１９】
続いて、本実施形態に係る充電機能付きバックアップ装置２００及び携帯電話端末１００の動作について図面を参照して詳細に説明する。
【００２０】
図２は、本実施形態に係る充電機能付きバックアップ装置によるバックアップ処理の流れを表したフローチャートである。充電機能付きバックアップ装置２００の制御部２０３は、携帯通信装置１００の充電端子１１１およびデータ端子１１０と、充電端子２０２およびデータ端子２０１との接続を検出すると（ステップＳ１０１）、携帯電話端末１００の制御部１１４に対して格納データ情報（記憶部１１３に格納されているデータの一覧）の送信を要求する（ステップＳ１０２）。
【００２１】
ここで、充電機能付きバックアップ装置２００の制御部２０３は、携帯電話端末１００からのバックアップデータの受信に先立って、当該携帯電話端末１００固有の識別ＩＤが予めメモリーカード３００に登録されているか否かを確認する。以下、ここでは、接続された携帯電話端末１００の識別ＩＤがメモリーカード３００に登録されており、そのまま次ステップに進むものとして説明するが、メモリーカード３００に登録されていない識別ＩＤが検出された場合には、表示部２０６を介して、新規に識別ＩＤの登録を行うか否かをユーザに確認する。
【００２２】
また、携帯電話端末１００から受け取った識別ＩＤがメモリーカード３００に登録されている場合であっても、既登録の携帯電話端末１００の新規バックアップデータを作成するか否か、既存のバックアップデータを上書更新するか否かといったバックアップ方式の選択や詳細設定を受け付けることとしてもよい。
【００２３】
次に、充電機能付きバックアップ装置２００の制御部２０３は、携帯電話端末１００から受信した格納データ情報に基づき、携帯電話端末１００の格納データ及びその更新日時と、メモリーカード３００に既に記憶されている内容との比較を行ない、バックアップすべきデータを判別していく（ステップＳ１０３）。
【００２４】
前記バックアップすべきデータの判別の結果、バックアップすべきデータが何も無かった場合は（ステップＳ１０４のＮｏ）、充電機能付きバックアップ装置２００の制御部２０３は、表示部２０６にバックアップデータ対象データが無い旨のメッセージを出力する（ステップＳ１１０）。
【００２５】
バックアップすべきデータがある場合は（ステップＳ１０４のＹｅｓ）、充電機能付きバックアップ装置２００の制御部２０３は、次に、メモリーカード３００の空き容量が十分であるか否かを確認する（ステップＳ１０５）。ここで、メモリーカード３００の空き容量が十分にある場合は（ステップＳ１０５のＹｅｓ）、携帯電話端末１００の各格納データの種別毎に予め設定されたバックアップ優先順位に従って、携帯電話端末１００からバックアップすべきデータを受信してバックアップデータを準備する（ステップＳ１０６）。
【００２６】
バックアップ優先順位は、カメラ画像、送受信メール、電話帳、スケジュール、発着信履歴のように失われてしまうと復旧しがたいものを最優先とし、オーディオデータ、着信メロディ、アプリケーションのように、復旧可能なもの、所定の費用を支払えばいつでも復旧できるデータが下位となるよう設定される。また、上記優先順位の決定に当たって、同程度の重要性の場合、バックアップ時間が短くて済む小さいサイズのデータに対し、より高い優先度を与えるというように、データのサイズも考慮に入れることができる。もちろん、携帯電話端末１００に備えられた機能やユーザの使い方に応じて、最優先でバックアップしたいデータも異なってくるため、表示部２０６及び操作部２０８を介して、バックアップを行う優先順位をカスタマイズできるようにしてもよい。
【００２７】
前記ステップＳ１０５で、メモリーカード３００の空き容量が十分でないと判定された場合は（ステップＳ１０５のＮｏ）、携帯電話端末１００の各格納データの種別毎に予め設定されたバックアップ優先順位に従って、メモリーカード３００の空き容量に収まるようデータを選択受信して、バックアップデータを準備する（ステップＳ１０７）。例えば、電話帳データ（サイズ小）、カメラ画像（サイズ大）、送受信メール（サイズ中）という優先順位が与えられている場合、電話帳データ及びカメラ画像のサイズが、空き容量を超過してしまうような場合には、カメラ画像をスキップして、電話帳データ、送受信メール以降がバックアップ対象として選択される。
【００２８】
バックアップデータの準備が完了すると、充電機能付きバックアップ装置２００の制御部２０３は、前記準備したバックアップデータを保護するためのデータ保護処理を行った後、バックアップを実行する（ステップＳ１０８）。例えば、バックアップデータをパーソナルコンピュータで参照・編集したり、リストアを行う際の認証情報（パスワード）を設定した後、メモリーカード３００に書き込む処理が行われる。なお、バックアップに際し、メモリーカード３００のデータの上書き更新を行う場合は、バックアップの中断によるデータの消失を避けるため、対象データの書き込みが完了してから、古いデータの削除が行われる。
【００２９】
最後に、充電機能付きバックアップ装置２００の制御部２０３は、表示部２０６に、メモリーカードへのデータバックアップが完了した旨のメッセージを出力する（ステップＳ１０９）。
【００３０】
以上のように、予め定める優先順位に従い携帯電話端末１００に保持されたデータのバックアップを行うこととしたため、例えば、着信、受信メール閲覧や携帯電話端末１００の持ち出し等によるバックアップの中断が行われたとしても、日々更新されるデータのうち重要性の高い（復旧し難い）データを復旧できる可能性を高めることが可能となる。例えば、充電と同時にバックアップが完了する前に、携帯電話端末を持ち出し、その後、紛失・盗難・故障等に見舞われた場合であっても、本実施形態に係る充電機能付きバックアップ装置２００によれば、充電の直前に受信した電子メール、着信履歴に入った電話番号やカメラ画像を復旧できる可能性が格段に上ることになる。
【００３１】
また、充電機能付きバックアップ装置２００を家庭や職場等の複数ユーザで共有して使用する場合や、同一ユーザがバックアップ日等が異なる複数のバックアップデータを作成するような場合、メモリーカード３００の空き容量が不足することが考えられるが、本実施形態に係る充電機能付きバックアップ装置２００によれば、メモリーカード３００の空き容量と優先順位を考慮してバックアップ対象の選択が行われる。
【００３２】
以上、本発明の好適な実施形態を説明したが、携帯端末のデータの種別毎に予め定められた優先順位に従って、バックアップを実行するという本発明の要旨を逸脱しない範囲で、当業者がなしうる各種の変形・置換を行うことができる。
【００３３】
例えば、上記した実施形態では、充電機能付きバックアップ装置に適用した例を挙げて説明したが、充電機能を省略することも可能である。また、携帯端末とバックアップ装置間を端子で接続する構成に代えて、Ｂｌｕｅｔｏｏｔｈ（登録商標）、赤外線通信その他の近距離無線通信手段によりデータ転送を行う構成も採用可能である。これらの方式では、充電や有線接続が行われていないが故に、バックアップ中であることをユーザが認識し難いことも考えられ、本発明によって、データを回復できるケースも増加すると考えられる。
【００３４】
また、上記した実施形態では、充電時にバックアップ処理を開始するものとして説明したが、上記充電機能を有しているか否かに拘わらず、例えば、携帯端末のバックアップ装置への接続時、バックアップ対象データの発生時、毎日定刻、前回バックアップ時からの一定時間間隔の経過時、あるいは、携帯端末のスケジュール機能等からのバックアップ要求時等に、バックアップ処理を開始させることができる。
【００３５】
また、上記した実施形態では、充電機能付きバックアップ装置の電源として商用電源を用いるものとして説明したが、一次電池又は二次電池を電源とすることも可能である。
【００３６】
また、上記した実施形態では、バックアップ対象機器として携帯電話端末を用いた例を挙げて説明したが、携帯電話端末に限らず、その他、ＰＤＡ（Personal  Digital  Assistant）等の失われては困るデータを多く保持する携帯端末の充電機能付きバックアップ装置にも適用可能であることはいうまでもない。
【図面の簡単な説明】
【００３７】
【図１】本発明の一実施形態に係る充電機能付きバックアップ装置の構成を表したブロック図である。
【図２】本発明の一実施形態に係る充電機能付きバックアップ装置のバックアップ処理の流れを表したフローチャートである。
【符号の説明】
【００３８】
１００  携帯電話端末
１０１  無線通信部
１０２  アンテナ
１０３  音声処理部
１０４  マイク／レシーバ
１０５  操作部
１０６  表示部
１０７  スピーカ
１０８  電源制御部
１０９  充電電池
１１０、２０１  データ端子
１１１、２０２  充電端子
１１２  カメラ部
１１３  記憶部
１１４  制御部
２００  充電機能付きバックアップ装置
２０３  制御部
２０４  電源処理部
２０５  カードスロット
２０６  表示部
２０７  スピーカ
２０８  操作部
２０９  外部接続端子
２１０  電源
３００  メモリーカード
【図１】
2008245044.tif 000003
【図２】
2008245044.tif 000004